(57)【要約】【課題】高い位置の掲示板に安全に且つ容易に掲示物を留めることができる掲示板を提供する。【解決手段】壁２に固定されたフレーム支持金具３に下部が回転可能に枢着された掲示板支持フレーム１の対向する縦フレーム１ａ間の上部に掲示板４の上部が回転自在に枢着されて垂下され、それぞれの縦フレーム１ａにガススプリング５の一端が回転可能に枢着されるとともに、ガススプリングの他端が壁２に固定されたスプリング支持金具６に回転可能に枢着されている掲示板。【選択図】図２
2005122055.tif 000002
【特許請求の範囲】
【請求項１】
壁に固定されたフレーム支持金具に下部が回転可能に枢着された掲示板支持フレームの対向する縦フレーム間の上部に掲示板の上部が回転自在に枢着されて垂下され、それぞれの縦フレームにガススプリングの一端が回転可能に枢着されるとともに、ガススプリングの他端が壁に固定されたスプリング支持金具に回転可能に枢着されていることを特徴とする掲示板。
【発明の詳細な説明】
【技術分野】
【０００１】
本発明は、高い位置にある掲示板を安全且つ容易に取り扱うことができる昇降可能な掲示板に関するものである。
【背景技術】
【０００２】
掲示板は、会合のお知らせなどの情報を載せた用紙、絵や習字などの掲示物をピンやテープで留めて掲示したり、また黒板を掲示板として使用する場合はさらに伝達事項を書いたりしていろいろな場所で利用されている。掲示板は、教室などの壁に固定されたものが一般的である。
【０００３】
図３は従来の掲示板の配置の一例を示す正面図、（ｂ）は側面図である。学校などでは教室の壁２を有効に利用するために、生徒の持ち物などを収納するロッカー７の上や窓の上などに掲示板４，４ｄが設置されている。
【０００４】
掲示板４，４ｄに掲示物を掲示する際、低い位置にある掲示板４ｄの場合は、床に立って手が届く範囲では掲示物を留めることができる。しかし、掲示板４が天井近くの手の届かない高い位置にある場合は、脚立あるいはロッカー７の上に載って掲示物を留めている。
【０００５】
また、特許文献１には、掲示スペースを増やすために、掲示板の表面に沿って昇降する、掲示部を有する可動パネル付き掲示板が記載されている。
【特許文献１】特開平１１−１９４７２６号公報
【発明の開示】
【発明が解決しようとする課題】
【０００６】
図３に示される天井近くの高い位置にある掲示板４では、脚立あるいはロッカー７の上に載って掲示物を留めなくてはならず、また、高い位置に掲示する場合には背伸びしたりして無理な姿勢で留めなくてはならず、その際に、脚立が転倒したり、ロッカー７の上から転落したりして死傷事故が発生しており、安全性が問題となっている。
【０００７】
また、前記特許文献１に記載された掲示板は、可動パネルには下降させて低い位置で掲示できるが、固定された掲示板が高い位置にある場合は、高い位置に掲示物を掲示するのに脚立を必要として前記と同様の問題がある。
【０００８】
そこで、本発明は、高い位置の掲示板に安全に且つ容易に掲示物を留めることができる掲示板を提供するものである。
【課題を解決するための手段】
【０００９】
本発明の掲示板は、壁に固定されたフレーム支持金具に下部が回転可能に枢着された掲示板支持フレームの対向する縦フレーム間の上部に掲示板の上部が回転自在に枢着されて垂下され、それぞれの縦フレームにガススプリングの一端が回転可能に枢着されるとともに、ガススプリングの他端が壁に固定されたスプリング支持金具に回転可能に枢着されていることを特徴とする。
【発明の効果】
【００１０】
本発明の掲示板は、高い位置の掲示板を垂直に下降させることにより、脚立やロッカーなどに上がることなく手の届く範囲で掲示物を安全に且つ容易に留めることができる。  
【発明を実施するための最良の形態】
【００１１】
図１は本発明の掲示板の正面図、図２（ａ）〜（ｅ）は掲示板の動作を示す側面図である。
【００１２】
図１及び図２（ｂ）において、掲示板支持フレーム１の下部が壁２に固定されたフレーム支持金具３に回転軸３ａを中心に回転可能に枢着されている。掲示板支持フレーム１は、対向して設けられた一対の縦フレーム１ａと縦フレーム１ａを連結する上下の連結フレーム１ｂとにより４角形枠に形成されている。
【００１３】
掲示板支持フレーム1の対向する縦フレーム1ａの間には、縦フレーム1ａの上部に掲示板４の上部が回転軸４ａを中心に回転自在に枢着され、垂下している。なお、本発明でいう掲示板４は、掲示物を掲示したり情報を書いたりすることができる黒板、ホワイトボードも含まれる。
【００１４】
それぞれの縦フレーム１ａの外側にはガススプリング５の一端が回転軸５ａに回転可能に枢着され、ガススプリング５の他端は壁２に固定されたスプリング支持金具６に回転軸６ａに回転可能に枢着されている。ガススプリング５により軽い力で掲示板４を引き下げあるいは押し上げることができる。
【００１５】
掲示板４の下部には、掲示板４を引き下げたりあるいは押し上げたりする取っ手４ｂが取り付けられている。なお、いたずらなどで掲示板４が不意に下降してこないように安全ロック４ｃを設けることが好ましい。
【００１６】
図２（ａ）〜（ｅ）により本発明の掲示板の動作について説明する。
【００１７】
本発明の掲示板は、図２（ａ）に示すように、掲示板４を実線で示す状態から矢印方向に点線で示す状態に回転させて下降させるものである。
【００１８】
まず、図２（ｂ）に示すように、掲示板４が掲示位置にある時は、掲示板支持フレーム１はガススプリング５により起立した状態に保持されている。この状態ではガイドスプリング５を縦フレーム１ａが少し押し上げられるように作用させておくことにより掲示板支持フレーム１を確実に保持することができる。
【００１９】
掲示板４に掲示物を留めたりあるいは掲示物を外す場合には、図２（ｃ）に示すように掲示板４の取っ手４ｂを持って引き下げていくと、掲示板支持フレーム１の縦フレーム１ａがフレーム支持金具３の回転軸３ａを中心に回転するとともに、掲示板４は回転軸４ａを中心に回転して垂直の状態で下降する。掲示板４を引き下げていく際、ガススプリング６は、回転軸５ａ，６ａを中心に回転する。
【００２０】
さらに、掲示板４を下げていくと、図２（ｄ）に示すように掲示板支持フレーム１は水平状態となり、掲示板４が垂直のままで下降し、引き続き図２（ｅ）に示すように掲示板４をガススプリング６の限界位置まで下降させて掲示板４に掲示物を留める位置で停止させる。
【００２１】
掲示板４に掲示物を留めたり取り除いたりして作業が完了すると、取っ手４ａを引き上げて行くと掲示板４は垂直を維持した状態で上昇して図２（ｂ）に示す掲示位置に戻すことができる。
【００２２】
本発明の掲示板は、高い位置の掲示板を下降させることにより手が届く作業しやすい位置まで下げることができるので、安全且つ容易に掲示物を留めたり外したりすることができる。
【産業上の利用可能性】
【００２３】
本発明は、高所に配置される掲示板として利用できる。
【図面の簡単な説明】
【００２４】
【図１】本発明の掲示板の正面図である。
【図２】（ａ）〜（ｅ）は掲示板の動作を示す側面図である。
【図３】従来の掲示板の配置の一例を示す正面図、（ｂ）は側面図である。
【符号の説明】
【００２５】
１：掲示板支持フレーム、１ａ：縦フレーム、１ｂ：連結フレーム、  ２：壁、  ３：フレーム支持金具、３ａ：回転軸、４：掲示板、４ａ：回転軸、４ｂ：取っ手、４ｃ：安全ロック、４ｄ：低い位置の掲示板、５：ガススプリング、６：スプリング支持金具、６ａ：回転軸、７：ロッカー
【図１】
2005122055.tif 000003
【図２】
2005122055.tif 000004
【図３】
2005122055.tif 000005